(57)【特許請求の範囲】
【請求項１】
記録媒体の一面に対面する位置に設けられ、該記録媒体に付された情報を読み取る情報読取部と、
前記記録媒体の磁気データを消去する磁気データ消去部と、を備え、
該磁気データ消去部は前記情報読取部の次工程の位置に配設され、人が介在できない装置構造であり、前記情報読取部によって情報が読み取られた直後に連続して該記録媒体の磁気データの消去処理を行うことを特徴とするヒューマンエラーを防止したハイセキュリティーデータ消去装置。
【請求項２】
記録媒体の二面以上に対面する位置に設けられ、該記録媒体に付された情報を読み取る情報読取部と、
前記記録媒体の磁気データを消去する磁気データ消去部と、を備え、
該磁気データ消去部は前記情報読取部の次工程の位置に配設され、人が介在できない装置構造であり、前記情報読取部によって情報が読み取られた直後に連続して該記録媒体の磁気データの消去処理を行うことを特徴とするヒューマンエラーを防止したハイセキュリティーデータ消去装置。
【請求項３】
前記記録媒体を物理的に破壊する物理的破壊部を更に備え、前記磁気データ消去部によって磁気データが消去された直後の前記記録媒体に対して、物理的な破壊を行うことを特徴とする請求項１、又は２に記載のヒューマンエラーを防止したハイセキュリティーデータ消去装置。
【請求項４】
前記記録媒体の一面、又は二面以上に対面する位置に設けられ情報読取部は、前記記録媒体に付されたバーコードの情報を読み取ることを特徴とする請求項１、２、又は３に記載のヒューマンエラーを防止したハイセキュリティーデータ消去装置。
【請求項５】
前記磁気データ消去部による前記記録媒体の磁気データの消去は、磁気コイルによる着磁処理によって行うことを特徴とする請求項１、２、３、又は４に記載のヒューマンエラーを防止したハイセキュリティーデータ消去装置。
【請求項６】
前記データ消去処理が正確に行われた記録媒体と、エラーとなった記録媒体の排出口を切換る排出方向切換部を更に備え、前記記録媒体を区別して排出することを特徴とする請求項１、２、３、４、又は５に記載のヒューマンエラーを防止したハイセキュリティーデータ消去装置。
【請求項７】
前記記録媒体の破壊は該記録媒体に一定の変形を施し、データ消去に使用する装置の識別を可能にすることを特徴とする請求項３、４、５、又は６に記載のヒューマンエラーを防止したハイセキュリティーデータ消去装置。
【請求項８】
前記記録媒体はハードディスク（ＨＤＤ）であることを特徴とする請求項１、２、３、４、５、６、又は７に記載のヒューマンエラーを防止したハイセキュリティーデータ消去装置。
【請求項９】
記録媒体の一面に対面する位置に設けられ、該記録媒体に付された情報を読み取る情報読取部と、
前記記録媒体の磁気データを消去する磁気データ消去部と、を備えたデータ消去装置であって、
該磁気データ消去部は前記情報読取部の次工程の位置に配設され、人が介在できない装置構造であり、前記情報読取部によって情報が読み取られた直後に連続して該記録媒体の磁気データの消去処理を行うことを特徴とするデータ消去方法。
【請求項１０】
記録媒体の二面以上に対面する位置に設けられ、該記録媒体に付された情報を読み取る情報読取部と、
前記記録媒体の磁気データを消去する磁気データ消去部と、を備えたデータ消去装置であって、
該磁気データ消去部は前記情報読取部の次工程の位置に配設され、人が介在できない装置構造であり、前記情報読取部によって情報が読み取られた直後に連続して該記録媒体の磁気データの消去処理を行うことを特徴とするデータ消去方法。
【請求項１１】
前記記録媒体を物理的に破壊する物理的破壊部を更に備え、前記磁気データ消去部によって磁気データが消去された直後の前記記録媒体に対して、物理的な破壊を行うことを特徴とする請求項９、又は１０に記載のデータ消去方法。
【発明の詳細な説明】
【技術分野】
【０００１】
本発明は、ハードディスク（ＨＤＤ）や磁気テープ等の磁気記録媒体に記録された磁気データを消去するデータ消去装置であり、特にヒューマンエラーを防止したハイセキュリティーなデータ消去装置に関する。
【背景技術】
【０００２】
今日、企業や個人で使用したハードディスク等の磁気記録媒体を廃棄する場合、記録媒体に記録された情報を第三者に知られないため、例えばコンピュータに接続した状態で、オペレーティングシステムからフォーマット処理を行い、磁気データの情報を消去している。
【０００３】
しかし、上記消去方法では、ハードディスク内の磁気情報の配置等を管理する管理領域のみを消去し、実際の磁気情報はディスク上に残る。そこで、例えば磁気記録媒体に電磁石により生成された磁力を与え、磁気記録媒体に記録されている情報を消去する方法が行われている。
【０００４】
特許文献１は、廃棄する磁気ディスク装置に記録されたデータの漏洩防止のため、データ消去を簡単な操作で行うデータ消去装置の発明であり、磁気ディスク装置に対して磁界を付与し、データ消去を行うデータ消去装置を開示する。
【０００５】
また、ハードディスクに限らず、磁気テープに記録されたデータを消去する際にも、磁気テープに磁界を付与してデータの消去を行っている。
【先行技術文献】
【特許文献】
【０００６】
【特許文献１】特開２００７−６６４３９号公報
【発明の概要】
【発明が解決しようとする課題】
【０００７】
しかしながら、ハードディスクに限らず、磁気テープにおいても、データの漏洩防止のためデータ消去を確実に行う必要があり、データ消去が不完全なハードディスクや磁気テープを確実に区別する必要がある。例えば、作業者の不注意によって磁気データの消去処理が完了していない記録媒体を誤って消去処理が完了したものと判断する場合もある。また、データ消去が完了していない記録媒体のシリアルナンバーを誤って記録する場合もある。
【０００８】
そこで、本発明は上記課題に鑑み、磁気消去を行なう記録媒体のシリアルナンバー等の読み取り処理と、当該記録媒体に対する磁気データの消去処理とを人が介在できない構造の装置によって自動的に一連の作業によって行い、ヒューマンエラーを無くしたハイセキュリティーなデータ消去装置を提供するものである。
【課題を解決するための手段】
【０００９】
上記課題は第１の発明によれば、記録媒体の一面又は二面以上に対面する位置に設けられ、該記録媒体に付された情報を読み取る情報読取部と、前記記録媒体の磁気データを消去する磁気データ消去部と、を備え、該磁気データ消去部は前記情報読取部の次工程の位置に配設され、人が介在できない装置構造であり、前記情報読取部によって情報が読み取られた直後に連続して該記録媒体の磁気データの消去処理を行うことを特徴とするヒューマンエラーを防止したハイセキュリティーデータ消去装置を提供することによって達成できる。
【００１０】
また、上記課題は第２の発明によれば、前記記録媒体を物理的に破壊する物理的破壊部を更に備え、前記磁気データ消去部によって磁気データが消去された直後の前記記録媒体に対して、物理的な破壊を行うことを特徴とする。
【発明の効果】
【００１１】
本発明によれば、磁気データの消去を確実に行うことができ、ヒューマンエラーを無くしたデータ消去装置を提供することができる。また、データ消去中にエラーが発生した場合、これを検知し、エラーが発生した磁気記録媒体を区別して収納することができ、磁気データの消去が確実に行われた磁気記録媒体とエラーが発生した磁気記録媒体を正確に区別することができる。さらに、磁気記録媒体の両面の情報を読み取る、例えば２台のCCDカメラ等を備えることによって、磁気記録媒体の何れの記録された媒体情報であっての確実に検出することができる。
【図面の簡単な説明】
【００１２】
【図１】第１の実施形態のデータ消去装置の外観図である。
【図２】第１の実施形態のデータ消去装置を上方より視た状態の図であり、操作表示部の構成図である。
【図３】データ消去装置の操作表示部に設けられたハードディスク投入部の蓋を開いた状態を示す図である。
【図４】第１の実施形態のデータ消去装置の内部構造を示す模式図である。
【図５】磁気データ消去部の模式図であり、着磁装置の内部構造を説明する図である。
【図６】第１の実施形態のデータ消去装置によるデータ消去処理を説明する図である。
【図７】第２の実施形態のデータ消去装置の内部構造を示す模式図である。
【図８】第２の実施形態のデータ消去装置によるデータ消去処理を説明する図である。
【発明を実施するための形態】
【００１３】
以下、図面を参照しながら本発明の実施の形態について説明する。
（第１の実施形態）
先ず第１の実施形態について説明する。
図１は第１の実施形態のヒューマンエラーを防止したハイセキュリティーデータ消去装置（以下、単にデータ消去装置１で示す）であり、このデータ消去装置１の外観図を示す。本例のデータ消去装置１は、例えばハードディスク（ＨＤＤ）等の磁気ディスク装置に記録された磁気データの消去を行う構成であり、内部に詳しく後述するスキャナー部２と磁気データ消去部３を備える。
【００１４】
データ消去装置１の上面には、操作表示部４及びＨＤＤ投入部５が設けられ、ＨＤＤ投入部５の上面には開閉可能な蓋６が設けられている。また、操作表示部４には電源スイッチ８、電源ランプ９、エラー表示ランプ１０、液晶ディスプレイ１１が配設されている。尚、図２はデータ消去装置１の上面図であり、図１を上方（図１に示すａ方向）から視た図である。
【００１５】
電源スイッチ８は本例のデータ消去装置１の電源投入を行なうスイッチであり、電源スイッチ８をオンすることによって、電源ランプ９が点灯し、本例のデータ消去装置１に電源供給が行われる。また、エラー表示ランプ１０は、例えばハードディスク（ＨＤＤ）に付されたバーコードの読み出し処理が不完全な場合や、ハードディスク（ＨＤＤ）の磁気消去処理が不完全な場合等にエラー表示を行う。また、液晶ディスプレイ１１には、上記エラー表示ランプ１０が点灯した際のエラー情報等の表示が行なわれる。
【００１６】
蓋６には取手７が設けられ、例えば作業者がこの取手７を握って図２の矢印方向に蓋６を開けることによって、ＨＤＤ投入部５を開放する。図３はデータ消去装置１の蓋６を開けた状態を示す図であり、ＨＤＤ投入部５が表出される。
【００１７】
尚、図１に示す装置下方の開口部１３は本例のデータ消去装置１によって磁気データが消去されたハードディスク（ＨＤＤ）が排出される排出口である。また、上記開口部１３に対向するデータ消去装置１の裏面側には後述する開口部１４が設けられ、磁気データの消去処理の際、エラーとなったハードディスク（ＨＤＤ）が排出される。
【００１８】
図４は本例のデータ消去装置１の内部構造を示す図である。データ消去装置１の内部はスキャナー部２、磁気データ消去部３、ハードディスク（ＨＤＤ）の排出方向切換部１２で構成されている。
【００１９】
スキャナー部２は前述のＨＤＤ投入部５の直下に位置し、投入されたハードディスク（ＨＤＤ）のバーコードを読み取る。具体的にはハードディスク（ＨＤＤ）に表面又は裏面に付されたバーコードを、例えばＣＣＤカメラで撮影し、撮像データからバーコードの情報を読み取る。この為、スキャナー部２にはハードディスク（ＨＤＤ）の表面又は裏面に付されたバーコードを読み取る為のＣＣＤカメラ１５ａ、１５ｂが配設されている。本例では上記のように２台のカメラを配設することによって、バーコードの読み取りミスを防止する。
【００２０】
尚、ＣＣＤカメラ１５ａ、１５ｂを駆動する際には、不図示のランプが点灯し、バーコードを含むハードディスク（ＨＤＤ）の両面の情報が撮影され、不図示のサーバに撮像情報が転送される。サーバ側では得られたバーコードの情報に基づいてデータ消去を行うハードディスク（ＨＤＤ）の機種名やシリアルナンバー、使用するファームウエア等の情報を取得する。
【００２１】
また、スキャナー部２には投入されたハードディスク（ＨＤＤ）を保持する為、ストパー１６が設けられ、バーコードの読み取り処理の間スキャナー部２に投入されたハードディスク（ＨＤＤ）を保持する。
【００２２】
次に、磁気データ消去部３はスキャナー部２によってバーコードが読み取られ、機種名やシリアルナンバー等の情報が取得されたハードディスク（ＨＤＤ）の磁気データを消去する機能を有し、着磁コイル１７によって覆われた中空部１８を備える。図５は磁気データ消去部３の模式図であり、着磁コイル１７の一部を省略して示す。着磁コイル１７は多数の巻線で構成され、巻線の両端には不図示の電力供給回路から電源供給が行われる。
【００２３】
すなわち、ハードディスク（ＨＤＤ）が投入される中空部１８には着磁コイル１７によって所定強度の磁界が形成され、例えば同図の正面から裏面に向かって、又は裏面から正面に向かって、磁界が形成される。尚、磁気データ消去部３には放熱板１９が設けられ、着磁コイル１７に発生する熱を逃がす。
【００２４】
また、磁気データ消去部３にもスキャナー部２と同様、投入されたハードディスク（ＨＤＤ）を保持する為、スットパー２０が設けられ、上記着磁コイル１７による着磁処理の間、中空部１８に位置するハードディスク（ＨＤＤ）を保持する。
【００２５】
排出方向切換部１２は、磁気データ消去部３から排出されたハードディスク（ＨＤＤ）の排出方向を切り換える装置であり、磁気データ消去部３から排出されるハードディスク（ＨＤＤ）を排出口１３又は１４に導く。例えば、排出口１３は磁気データの消去処理が確実に行われたハードディスク（ＨＤＤ）を排出する開口部であり、磁気データの消去処理が確実に行われたハードディスク（ＨＤＤ）を排出口１３に導く。一方、排出口１４はエラーが発生したハードディスク（ＨＤＤ）を排出する開口部であり、排出方向切換板２４によってエラーとなったハードディスク（ＨＤＤ）を排出口１４に導く。
【００２６】
尚、排出方向切換部１２の切換処理は排出方向切換板２４の回転軸の設けられたステッピングモータ２５を所定角度回転させることによって排出方向切換板２４の位置を、例えば実線位置から点線位置、又は点線位置から実線位置に切り換える。
【００２７】
次に、上記構成の本例のデータ消去装置１の操作処理を以下に説明する。
先ず、電源スイッチ８をオンし、本例のデータ消去装置１に電源供給を行い、電源ランプ９の点灯を確認する。次に、取手７を持って蓋６を開き、データ消去装置１の上面に設けられたＨＤＤ投入部５を開放する。そして、ＨＤＤ投入部５から磁気消去を行うハードディスク（ＨＤＤ）を投入する。上記操作によって、投入されたハードディスク（ＨＤＤ）はスキャナー部２のストッパー１６で保持され、例えば図６に示すＡの状態に保持される。
【００２８】
スキャナー部２にハードディスク（ＨＤＤ）が保持されると、直ちに２台のＣＣＤカメラ１５ａ、１５ｂが駆動し、ハードディスク（ＨＤＤ）の両面を撮影し、撮像画像がサーバに送られ、ハードディスク（ＨＤＤ）に付されたバーコードの情報が読み取られる。本例の装置では２台のＣＣＤカメラ１５ａ、１５ｂによってハードディスク（ＨＤＤ）の両面の撮像画像を取得するので、ハードディスク（ＨＤＤ）の何れの面にバーコードが付されていても確実にバーコードの情報を取得することができる。
【００２９】
上記処理によってハードディスク（ＨＤＤ）に付されたバーコードの情報が読み取られ、当該ハードディスク（ＨＤＤ）の機種名やシリアルナンバー等の情報が取得される。そして、上記処理が終了すると、ストッパー１６が駆動し、ハードディスク（ＨＤＤ）を磁気データ消去部３に落下させる。すなわち、ストッパー１６が点線矢印方向に回動し、ハードディスク（ＨＤＤ）を磁気データ消去部３に送る。
【００３０】
尚、スキャナー部２におけるバーコードの読み取り処理が不完全な場合、エラーが発生したものと判断して当該ハードディスク（ＨＤＤ）を排出口１４から排出する。この場合、直ちにストッパー１６及び２０を開放し、更に前述の排出方向切換部１２に設けられた排出方向切換板２４を同図の点線位置に回動し、エラーが発生したハードディスク（ＨＤＤ）を排出口１４からエラー収納用スッタッカ２３に収納する。
【００３１】
一方、バーコードの情報が正常に読み取られ、磁気データ消去部３に送られたハードディスク（ＨＤＤ）は、磁気データ消去部３の下部に設けられたストッパー２０によって停止し、磁気データ消去部３の中空部１８に保持される。図６に示すＢはこの状態を示す。
ハードディスク（ＨＤＤ）が上記位置に保持されると、不図示の電力供給回路から着磁コイル１７に電流が流れ、着磁コイル１７によって中空部１８に磁界が形成される。この磁界によってハードディスク（ＨＤＤ）は着磁され、磁気データが消去される。
【００３２】
このようにして磁気データが消去されたハードディスク（ＨＤＤ）は、以後ストッパー２０が駆動し、当該ハードディスク（ＨＤＤ）を排出方向切換部１２に送る。この時、排出方向切換板２４は同図に実線で示す位置に回動し、ハードディスク（ＨＤＤ）を排出口１３から正常なハードディスク（ＨＤＤ）を収納するスタッカ２２に排出する。
【００３３】
尚、磁気データ消去部３において装置の故障や磁気データの消去処理が不完全な場合、エラーが発生したものと判断して当該ハードディスク（ＨＤＤ）を排出口１４に導く。すなわち、この場合ストッパー２０を直ちに開放し、更に排出方向切換部１２に設けられた排出方向切換板２４を同図の点線位置に回動し、エラーが発生したハードディスク（ＨＤＤ）を排出口１４からエラー収納用スッタッカ２３に排出する。
【００３４】
以上のように、本例のデータ消去装置１を使用したハードディスク（ＨＤＤ）の磁気データの消去処理は、バーコードからのハードディスク（ＨＤＤ）の情報の読み取りと、当該ハードディスク（ＨＤＤ）の消去処理を自動的に連続した一連の作業によって行うことができ、処理中での人の介在を無くし、ヒューマンエラーを防止して確実な磁気データの消去を行うことができる。すなわち、ＨＤＤ投入部５からデータ消去装置１内に投入されたハードディスク（ＨＤＤ）はデータが消去され排出口１３からスタッカ２２に排出されるまで、装置内で自動的にデータの消去処理が行われ、途中で作業者が介在する余地がなく、確実なデータの消去処理を行うことができる。
【００３５】
また、作業中エラーが発生した場合には、前述のように自動的にストッパー１６、２０や、排出方向切換板２４が駆動し、エラー用のスタッカ２３に当該ハードディスク（ＨＤＤ）を排出することができ、磁気データの消去処理が不完全な記録媒体を確実に排除することができる。
（第２の実施形態）
【００３６】
次に、本発明の第２の実施形態について説明する。
図７は本例の実施形態を説明する図であり、データ消去装置２７の内部構成を示す。尚、本例のデータ消去装置２７は前述のデータ消去装置１と比較して、ハードディスク（ＨＤＤ）を物理的に変形（破壊）する装置が追加された構成である。具体的には前述の磁気データ消去部３の下方に物理的破壊部２８が設けられ、磁気データが消去されたハードディスク（ＨＤＤ）に対して変形や穴あけ等の物理的は破壊処理を施す。以下、具体的に説明する。
【００３７】
尚、前述の第１の実施形態で説明したスキャナー部２と磁気データ消去部３の構成については本例においても同様であり、以下では物理的破壊部２８について説明する。
【００３８】
図７に示すように、物理的破壊部２８は前述の磁気データ消去部３の直下に設けられ、磁気データ消去部３によって磁気消去が行われたハードディスク（ＨＤＤ）が送られてくる。本例の物理的破壊部２８においても下部にハードディスク（ＨＤＤ）を保持するストッパー２９が設けられ、ハードディスク（ＨＤＤ）を保持する。
【００３９】
物理的破壊部２８の一方の側面には先端形状がＶ字型である押圧部３０が設けられ、不図示の油圧系統によって矢印方向に押圧可能に構成されている。一方、上記Ｖ字型の押圧部３０の対面には真ん中に凹部が形成された押え板３１が配設され、Ｖ字型の押圧部３０と凹部が形成された押え板３１によってハードディスク（ＨＤＤ）に変形を加える構成である。
【００４０】
図８は本例の物理的破壊部２８にハードディスク（ＨＤＤ）が送られた状態を示す図であり、ハードディスク（ＨＤＤ）はストッパー２９によって物理的破壊部２８の位置に保持される。図８に示すＣはこの状態を示す。
【００４１】
この状態で不図示の油圧系統を駆動し、Ｖ字型の押圧部３０を矢印方向に押圧し、対面する凹部が形成された押え板３１によってハードディスク（ＨＤＤ）を挟持し、ハードディスク（ＨＤＤ）を変形させ、ハードディスク（ＨＤＤ）を物理的に破壊する。このハードディスク（ＨＤＤ）の変形（破壊）処理が完了すると、Ｖ字型の押圧部３０を元の位置に戻し、ストッパー２９を駆動して破壊されたハードディスク（ＨＤＤ）を排出方向切換部１２に送る。この時、排出方向切換板２４は実線位置に切り換わっており、排出口１３からスタッカ２２に排出される。
【００４２】
尚、何らかの原因によって物理的破壊部２８によるハードディスク（ＨＤＤ）の破壊処理が不充分な場合、排出方向切換板２４を点線位置に移動させ、ストッパー２９を開いて排出口１４からエラー用スタッカ２３に当該ハードディスク（ＨＤＤ）を排出させる。
【００４３】
以上のように処理することによって、本例の物理的破壊部２８を含むデータ消去装置２７によれば、スタッカ２２に排出されるハードディスク（ＨＤＤ）には一定の変形（破壊）が施された状態であり、ハードディスク（ＨＤＤ）のデータ消去が確実に行われると共に、データの消去が行われたハードディスク（ＨＤＤ）の確認を目視で容易に行うことができる。
【００４４】
また、例えば前述のＶ字型の押圧部３０の先端を加工することによってハードディスク（ＨＤＤ）の折り曲げ部に特徴を持たせ、スタッカ２２に排出されるハードディスク（ＨＤＤ）が本実施例のデータ消去装置２７を使用して磁気消去が行われたものであるとの証明とすることもできる。
【００４５】
さらに、Ｖ字型の押圧部３０の先端を加工することによってハードディスク（ＨＤＤ）の折り曲げ部に特定のマークを記録し、より確実に本実施例のデータ消去装置２７を使用して磁気消去が行われた証明とする構成としてもよい。
【００４６】
また、上記第２の実施形態のデータ消去装置２７では物理的破壊部２８を配設しており、この物理的破壊部２８を使用して確実に磁気データの消去を行い、かつハードディスク（ＨＤＤ）が変形（破壊）していることが、磁気データの消去が確実に行われた証明でもある。したがって、スキャナー部２又は磁気データ消去部３における処理の際、エラーとなったハードディスク（ＨＤＤ）に対して物理的破壊部２８による変形（破壊）処理を行うことなく、スタッカ２２に排出することによって、変形（破壊）処理が施されていないハードディスク（ＨＤＤ）をエラーと判定するように判断してもよい。
このように構成することによって、エラーのハードディスク（ＨＤＤ）を収納するスタッカ２３を省略することもできる。
【００４７】
尚、上記第１、第２の実施形態の説明では、データ消去装置１又は２７による磁気データの消去をハードディスク（ＨＤＤ）で説明したが、ハードディスク（ＨＤＤ）に限定される訳ではなく、磁気テープ等の磁気データが記憶された他の記録媒体に対しても同様に実施することができる。
【００４８】
また、上記第１、第２の実施形態の説明ではスキャナー部２において２台のＣＣＤカメラ１５ａ、１５ｂを使用してバーコードの情報を取得したが、ハードディスク（ＨＤＤ）等の記録媒体の両面の情報を取得できる情報読み取り装置であれば、他の情報読取装置でも同様に使用することができる。
【００４９】
また、スキャナー部２において読み取る記録媒体の情報は二次元バーコードや他の記録方法によって記録媒体に付された対応の情報であってもよい。
さらに、磁気データ消去部３についても本例の構成に限る訳ではなく、更に物理的破壊部２８についても本例の構成に限る訳ではなく、種々の変形が可能である。
【００５０】
また、上記第１の実施形態の説明ではスキャナー部２と磁気データ消去部３を使用して記録媒体の磁気データの消去を行い、第２の実施形態では物理的破壊部２８を追加して確実に記録媒体の磁気データの消去を行う構成としたが、更に第３の実施形態として、スキャナー部２と物理的破壊部２８を組み合わせたデータ消去装置の構造としてもよい。この場合、スキャナー部２による記録媒体の情報取得後、当該記録媒体を変形（破壊）して磁気データの消去を物理的に行う構造となる。
【符号の説明】
【００５１】
１・・・データ消去装置
２・・・スキャナー部
３・・・磁気データ消去部
４・・・操作表示部
５・・・ＨＤＤ投入部
６・・・蓋
７・・・取手
８・・・電源スイッチ
９・・・電源ランプ
１０・・エラー表示ランプ
１１・・液晶ディスプレイ
１２・・ハードディスク（ＨＤＤ）の排出方向切換部
１３、１４・・排出口
１５ａ、１５ｂ・・ＣＣＤカメラ
１６・・ストッパー
１７・・着磁コイル
１８・・中空部
１９・・放熱板
２０・・ストッパー
２２・・スタッカ
２３・・エラー収納用スタッカ
２４・・排出方向切換板
２５・・ステッピングモータ
２７・・データ消去装置
２８・・物理的破壊部
２９・・ストッパー
３０・・先端形状がＶ字型である押圧部
３１・・凹部が形成された押え板
【図１】
0006584989.tif 000002
【図２】
0006584989.tif 000003
【図３】
0006584989.tif 000004
【図４】
0006584989.tif 000005
【図５】
0006584989.tif 000006
【図６】
0006584989.tif 000007
【図７】
0006584989.tif 000008
【図８】
0006584989.tif 000009